(57)【要約】【課題】  前処理体及び整畦体を回動支点及びリンク体により水平回動・水平移動可能に支持し、機体の前進と後進により圃場の４隅まで畦塗り作業が行えるようにする。【解決手段】  主フレーム７と前処理体８及び整畦体９の伝動ケース１０を支持する後フレーム１３との間をリンク体１１，１１ａ，１２，１２ａにより水平移動可能に連結し、該前処理体８及び整畦体９は伝動ケース１０と共に回動支点１４を介して後フレーム１３に対し水平方向に回動可能に支持され、主フレーム７と伝動ケース１０との間に、前処理体８及び整畦体９を前進作業位置あるいは後進作業位置に回動したときに接続状態となるクラッチ１９、２２，２３を設け、リンク体１１，１１ａ，１２，１２ａと主フレーム７との間に、リンク体１１，１１ａ，１２，１２ａを水平移動させる調整位置決め装置２５を設けた。【選択図】図１
2005040105.tif 000002
【特許請求の範囲】
【請求項１】
走行機体の後部に着脱可能に連結され、該走行機体から主フレームに動力を受けて作業部に伝達し、作業部では元畦の一部及び圃場を耕耘して元畦側に畦状に盛り上げる前処理体、及びこの前処理体により耕耘された土壌を回転しながら畦に成形するドラム状の整畦体を、主フレームに対してリンク体及び回動支点を介して水平回動して格納位置と前進作業位置あるいは後進作業位置とに水平移動可能に設けた畦塗り機において、
前記主フレームと前処理体及び整畦体の伝動ケースとの間をリンク体により水平移動可能に連結し、該前処理体及び整畦体は伝動ケースと共に回動支点を介して水平方向に回動可能に支持され、主フレームと伝動ケースとの間に、前処理体及び整畦体を前進作業位置あるいは後進作業位置に回動したときに接続状態となるクラッチを設け、前記リンク体と主フレームとの間に、該リンク体を水平移動させる調整位置決め装置を設けたことを特徴とする畦塗り機。
【請求項２】
前記リンク体を水平移動させる調整位置決め装置は、前記前処理体及び整畦体を回動する際のリンク体の回動位置決め機能と、非作業時の格納状態での水平移動をロックする機能を兼ね備えていることを特徴とする請求項１記載の畦塗り機。
【請求項３】
前記伝動ケースと前処理体及び整畦体を支持する後フレームとの間、及び前記リンク体と主フレームの間の少なくとも一方の間に、前処理体及び整畦体を水平移動させたときの衝撃を緩衝する緩衝装置を介装したことを特徴とする請求項１又は２記載の畦塗り機。
【請求項４】
畦塗り機の前進、後進の各作業時、非作業時の各位置は、前・後進作業位置では、伝動ケースに設けた係合部材と、主フレームに設けた係合部材との組み合わせとにより固定し、非作業位置では、前記調整位置決め装置により位置決めすることを特徴とする請求項１、２又は３記載の畦塗り機。
【請求項５】
前記前処理体及び整畦体は、伝動ケースと共に回動支点を介して水平方向に回動可能に支持され、畦塗り機の前進作業位置あるいは後進作業位置に固定するロック機構を設けたことを特徴とする請求項１、２、３又は４記載の畦塗り機。
【請求項６】
前記ロック機構は、後フレームに設けた位置決め孔及び円弧状のガイド部材と、伝動ケース側に弾持された係合部材とにより構成されていることを特徴とする請求項５記載の畦塗り機。
【請求項７】
前記主フレームから後方に向け駆動側クラッチを設け、前記伝動ケースに、前方及び後方に向け受動側クラッチを設けたことを特徴とする請求項１、２，３，４，５又は６記載の畦塗り機。
【請求項８】
前記駆動側クラッチは、前側受動クラッチ及び後側受動クラッチに対して前後方向に移動可能に付勢されていることを特徴とする請求項１、２，３，４，５、６又は７記載の畦塗り機。
【発明の詳細な説明】
【技術分野】
【０００１】
本発明は、主フレームと前処理体及び整畦体の伝動ケースとの間をリンク体により連結し、前処理体及び整畦体を回動支点を介して水平方向に回動可能に支持し、機体の前進と後進により圃場の４隅まで畦塗り作業が行えるようにした畦塗り機に関する。
【背景技術】
【０００２】
走行機体の後部に着脱可能に連結され、該走行機体から主フレームに動力を受けて作業部に伝達し、作業部では元畦の一部及び圃場を耕耘して元畦側に畦状に盛り上げる前処理体、及びこの前処理体により耕耘された土壌を回転しながら畦に成形するドラム状の整畦体を、主フレームに対してリンク体及び回動支点を介して水平回動して格納位置と前進作業位置あるいは後進作業位置とに水平移動可能に設けた畦塗り機が、本出願人によって提案されている。
【０００３】
従来の畦塗り機による畦塗り作業においては、作業部が前進作業位置のみの作業であると、水田の４隅に未作業部分が残るので、この未作業部分を処理する手段として、作業部をリンク体及び回動支点を介して前進作業位置から１８０度水平回動させて後進作業位置とし、走行機体を後進させて畦塗り作業を行うようにしている。作業部を前進作業位置から後進作業位置に、あるいは後進作業位置から前進作業位置に移動させるほぼ中間に位置して格納位置があり、作業部は走行機体の後方に位置している。
【特許文献１】特開２００２−１６５５０２号公報
【発明の開示】
【発明が解決しようとする課題】
【０００４】
上記のように従来の畦塗り機においては、作業部を回動させて前進作業位置と格納位置あるいは後進作業位置に移動させ、それぞれの位置で固定、または固定解除するという操作が面倒であり、多くの時間と労力を要する、という問題点があった。
【０００５】
本発明は、上記の問題点を解決することを目的になされたもので、作業部を前進作業位置と格納位置あるいは後進作業位置に移動させる操作が容易に行え、しかも作業部の回動が安全に、かつ容易に行え、主フレームから作業部に動力伝達するクラッチが、作業部を前進作業位置または後進作業位置に移動させたときはほぼ自動的に接続状態となり、格納位置に移動させたときは自動的に切断状態となる畦塗り機を提供することを目的とする。
【課題を解決するための手段】
【０００６】
上記の目的を達成するために本発明の畦塗り機は、以下の構成を特徴としている。
Ａ．走行機体の後部に着脱可能に連結され、該走行機体から主フレームに動力を受けて作業部に伝達し、作業部では元畦の一部及び圃場を耕耘して元畦側に畦状に盛り上げる前処理体、及びこの前処理体により耕耘された土壌を回転しながら畦に成形するドラム状の整畦体を、主フレームに対してリンク体及び回動支点を介して水平回動して格納位置と前進作業位置あるいは後進作業位置とに水平移動可能に設けた畦塗り機において、
前記主フレームと前処理体及び整畦体の伝動ケースとの間をリンク体により水平移動可能に連結し、該前処理体及び整畦体は伝動ケースと共に回動支点を介して水平方向に回動可能に支持され、主フレームと伝動ケースとの間に、前処理体及び整畦体を前進作業位置あるいは後進作業位置に回動したときに接続状態となるクラッチを設け、前記リンク体と主フレームとの間に、該リンク体を水平移動させる調整位置決め装置を設けた。
【０００７】
Ｂ．前記リンク体を水平移動させる調整位置決め装置は、前記前処理体及び整畦体を回動する際のリンク体の回動位置決め機能と、非作業時の格納状態での水平移動をロックする機能を兼ね備えている。
Ｃ．前記伝動ケースと前処理体及び整畦体を支持する後フレームとの間、及び前記リンク体と主フレームの間の少なくとも一方の間に、前処理体及び整畦体を水平移動させたときの衝撃を緩衝する緩衝装置を介装した。
Ｄ．畦塗り機の前進、後進の各作業時、非作業時の各位置は、前・後進作業位置では、伝動ケースに設けた係合部材と、主フレームに設けた係合部材との組み合わせとにより固定し、非作業位置では、前記調整位置決め装置により位置決めする。
【０００８】
Ｅ．前記前処理体及び整畦体は、伝動ケースと共に回動支点を介して水平方向に回動可能に支持され、畦塗り機の前進作業位置あるいは後進作業位置に固定するロック機構を設けた。
Ｆ．前記ロック機構は、後フレームに設けた位置決め孔及び円弧状のガイド部材と、伝動ケース側に弾持された係合部材とにより構成されている。
Ｇ．前記主フレームから後方に向け駆動側クラッチを設け、前記伝動ケースに、前方及び後方に向け受動側クラッチを設けた。
Ｈ．前記駆動側クラッチは、前側受動クラッチ及び後側受動クラッチに対して前後方向に移動可能に付勢されている。
【発明の効果】
【０００９】
イ．上記Ａ．の構成により、前処理体及び整畦体を前進作業位置と格納位置あるいは後進作業位置に移動させる操作を、調整位置決め装置により容易に行うことができる。また、主フレームから前処理体及び整畦体に動力伝達するクラッチが、前処理体及び整畦体を前進作業位置または後進作業位置に移動させたときはほぼ自動的に接続状態となり、格納位置に移動させたときは自動的に切断状態にすることができる。そして、前処理体及び整畦体を前進作業位置にした状態で通常の畦塗り作業を行い、圃場の隅部においては、前進作業により残った作業部分を、前処理体及び整畦体を後進作業位置にした状態で畦塗り作業を行うことで圃場の４隅まで、圃場全体の畦塗り作業を機械力により行うことができる。また、前処理体及び整畦体を後進作業位置にしたときは、整畦体が走行機体（操縦者）に接近した位置にくるので、操作性が良好となる。
【００１０】
ロ．上記Ｂ．の構成により、リンク体を介して前処理体及び整畦体を前進作業位置あるいは後進作業位置に回動する際、調整位置決め装置によって、リンク体の回動位置決めと、非作業時における格納状態での水平移動のロックとが、自動的に行うことができる。
ハ．上記Ｃ．の構成により、前処理体及び整畦体を水平移動させたときに、伝動ケースと前処理体及び整畦体を支持する後フレームとの間、及びリンク体と主フレームの間の少なくとも一方の間において発生する衝撃を、緩衝装置により緩衝することができる。また、緩衝装置を２個設けた場合には、１個目は緩衝作用を行い、２個目は前処理体及び整畦体を最も後進作業位置側にオフセットしたときでも押圧力を残しているので、ロックをしなくても前処理体及び整畦体の回動操作を行うことができる。
ニ．上記Ｄ．の構成により、畦塗り機が前進、後進の各作業時、非作業時の各位置にあるときは、前・後進作業位置では、伝動ケースに設けた係合ピンと、主フレームに設けたフックを有するロックプレートとの組み合わせとにより固定され、非作業位置では、調整位置決め装置により位置決めすることができる。
【００１１】
ホ．上記Ｅ．の構成により、前処理体及び整畦体を、伝動ケースと共に回動支点を介して１８０度回動させたとき、ロック機構により畦塗り機の前進作業位置あるいは後進作業位置にほぼ自動的に固定することができる。
ヘ．上記Ｆ．の構成により、前処理体及び整畦体を、伝動ケースと共に回動支点を介して１８０度回動させたとき、後フレームに設けた位置決め孔及び円弧状のガイド部材と、伝動ケース側に弾持された係合ピンとにより構成されたロック機構により、畦塗り機の前進作業位置あるいは後進作業位置にほぼ自動的に固定することができる。
ト．上記Ｇ．の構成により、前処理体及び整畦体を前進作業位置または後進作業位置に移動させたとき、駆動側クラッチと受動側クラッチがほぼ自動的に接続状態となり、格納位置に移動させたときは自動的に切断状態になる。
チ．上記Ｈ．の構成により、駆動側クラッチは、前側受動クラッチ及び後側受動クラッチに対して前後方向に移動可能に付勢されされることで、両クラッチを、ほぼ自動的に接続状態にし、また、切断状態にすることができる。
【発明を実施するための最良の形態】
【００１２】
以下、本発明を実施するための最良の形態について、添付の図面を参照しながら具体的に説明する。
【実施例１】
【００１３】
図１は、図示省略したトラクタ（走行車体）の後部に連結された本発明による畦塗り機１が、トラクタの後方に位置する格納状態にセットされた平面図である。図２は、同畦塗り機１を格納状態にセットした側面図である。図３は、同畦塗り機１を格納状態にセットした背面図である。図４は、同畦塗り機１を前進作業状態にセット（オフセット）した平面図である。図５は、同畦塗り機１を後進作業状態にセット（オフセット）した平面図である。
【００１４】
図１〜図３において、畦塗り機１は、連結フレーム２の前部に設けたロアリンク連結部３，３及びトップマスト４を、図示省略したトラクタ（走行車体）の後部に設けられた左右一対のロアリンク及びトップリンクからなる３点リンクヒッチに連結されて昇降可能であり、水田圃場に導入されて整畦作業を行うものである。連結フレーム２の前部には、入力軸ケース５ａから前側に入力軸５が突出しており、この入力軸５にトラクタのＰＴＯ軸からユニバーサルジョイント、伝動シャフトを介して動力が伝達される。連結フレーム２の後方に、左右一対の回動支持アーム６，６を介して主フレーム７が上下回動可能に支持されている。
【００１５】
前記主フレーム７と、作業部である前処理体８及び整畦体９に動力伝達する伝動ケース１０との間を、上下、左右対をなす平行リンク１１，１１ａ、１２，１２ａにより水平移動可能に連結し、主フレーム７に対して伝動ケース１０及び前処理体８及び整畦体９を支持する後フレーム１３が水平方向に移動し、前処理体８及び整畦体９を前進作業位置、格納位置及び後進作業位置に移動させる。該前処理体８及び整畦体９は、平行リンク１１，１１ａの伝動ケース１０側支点と同軸に伝動ケース１０に設けられた回動支点１４を介して、図４の前進作業位置から図５の後進作業位置まで、ほぼ１８０度水平回動可能に支持されている。
【００１６】
前記伝動ケース１０が回動支点１４を中心に回動する外周位置に、後フレーム１３側に固定された半円状のガイド部１０ａが設けられ、このガイド部１０ａに対して前処理体８及び整畦体９を前進作業状態または後進作業状態に回動したときにガイド部１０ａに穿設したロック孔に挿脱するロックピン１０ｂ、及び該ロックピン１０ｂをロック・ロック解除操作する操作レバー１０ｃが設けられている。伝動ケース１０と前処理体８及び整畦体９を支持する後フレーム１３との間に、前処理体８及び整畦体９を回動支点１４を中心に水平回動させたときの衝撃を緩衝する第１のガススプリング１５を介装している。また、前記平行リンク１１と主フレーム７との間に、平行リンク１１，１１ａ、１２，１２ａを介して前処理体８及び整畦体９を水平移動させたときの衝撃を緩衝する第２のガススプリング１６を介装している。
【００１７】
前記主フレーム７には、前記入力軸ケース５ａの後方に位置して、伝動軸を内装した伝動ケース１７を取付け、入力軸ケース５ａの後端部から入力軸５の後端に取付けたユニバーサルジョイント１８を介して伝動ケース１７内の伝動軸に動力伝達される。該伝動ケース１７の後端部から後方に向け、バネにより前後方向に移動可能に弾持された駆動側クラッチ１９を突設している。一方、前記伝動ケース１０には、前側入力軸ケース２０と後側入力軸ケース２１が前方及び後方に向け突設されており、前側入力軸ケース２０の先端部に前側受動クラッチ２２、後側入力軸ケース２１の後端部に後側受動クラッチ２３を設けている。そして、前側受動クラッチ２２及び後側受動クラッチ２３は、前処理体８及び整畦体９を前進作業位置あるいは後進作業位置に回動したときに前記駆動側クラッチ１９とほぼ自動的に接続状態となり、前処理体８及び整畦体９を格納状態にしたときは駆動側クラッチ１９と自動的に切断状態となる。
【００１８】
前記連結フレーム２と主フレーム７との間に、前処理体８及び整畦体９の前後作業姿勢を調整する，回転ハンドル２４ａ付の作業姿勢調整ネジ２４を設けている。また、平行リンク１１と主フレーム７との間には、平行リンク１１，１１ａ、１２，１２ａを介して前処理体８及び整畦体９を水平移動させてオフセット量を調整し、その位置に固定する調整位置決め装置としての調整ロッド２５を設けている。この調整ロッド２５は、前処理体８及び整畦体９を回動する際の平行リンク１１，１１ａ、１２，１２ａの回動位置決め機能と、前処理体８及び整畦体９を非作業時の格納状態にしたときの水平移動をロックする機能を兼ね備えている。また、前処理体８及び整畦体９を格納状態にするときに、格納位置に位置決めする。該調整ロッド２５は、油圧シリンダにしても良いものである。
【００１９】
前記主フレーム７の側部には、フック２６ａを有するロックプレート２６が設けられ、前処理体８及び整畦体９を前進作業位置にしたとき係合ピン２８と、後進作業位置にしたときに係合ピン２９とそれぞれ係合させてロックするようにしている。また、前処理体８及び整畦体９を格納位置に移動した状態で、平行リンク１１，１１ａ、１２，１２ａの回動を規制する調整ロッド２５の伸縮を固定して、平行リンク１１，１１ａ、１２，１２ａの回動を規制するバネ付ロックピン２７が、調整ロッド２５の近傍に設けられている。また本発明においては、第１のガススプリング１５と共に第２のガススプリング１６が設けられているので、この両ガススプリング１５，１６の相互の反力により、前処理体８及び整畦体９は格納位置に固定されることになり、バネ付ロックピン２７を省略しても良いものである。
【００２０】
前処理体８は、左右方向に軸支され、伝動ケース１０から動力を受けて回転する回転軸の軸周に複数本の耕耘爪及び土寄せ板を放射方向に装着すると共に、カバーにより覆い、元畦の一部及び圃場を耕耘して畦状に盛り上げるロータリ耕耘装置を備えた従来周知のものと同様のものである。また、前処理体８には、その上下高さを所定範囲で調節する上下調節装置が設けられている。整畦体９は、伝動ケース１０から屈曲した伝動ケース、デフケース等を介して動力を受けて多面の整畦面が偏心しながら回転して畦法面を叩いて畦に成形する多面体ドラム９ａを取付け、この多面体ドラム９ａのドラム中心の基部に畦の頂部を平らに形成する水平円筒部９ｂを一体的に取付けてカバーにより覆っている。この水平円筒部９ｂには、外側に向け延長部が取付け可能であり、従来周知のものと同様のものである。
【００２１】
このような構成の畦塗り機１においては、図示しないトラクタの後部に３点リンクのロアリンクがロアリンク連結部３に、トップリンクがトップマスト４にそれぞれ連結され、トラクタのＰＴＯ軸からユニバーサルジョイント，伝動軸、ユニバーサルジョイントを介して入力軸５に動力が伝達される。トラクタ及び畦塗り機１が道路や圃場通路を移動するときは、前処理体８及び整畦体９を図１〜図３の格納状態にしておく。この状態では、平行リンク１１，１１ａ、１２，１２ａの回動が調整ロッド２５、バネ付ロックピン２７及びガススプリング１５，１６により規制され、また、ガイド部１０ａのロック孔にロックピン１０ｂが嵌挿されていることで、前処理体８及び整畦体９の回動支点１４を中心とする水平回動が規制され、畦塗り機１は左右に回動することなく安定して移動できる。
【００２２】
畦塗り機１により整畦作業を行うときは、バネ付ロックピン２７のロックを解除し、調整ロッド２５を図１の状態から収縮させ、平行リンク１１，１１ａ、１２，１２ａを回動させて前処理体８及び整畦体９を図面で右方向に移動させ、図４の前進作業状態にまで移動（オフセット）させる。このとき、駆動側クラッチ１９に前側入力軸ケース２０の前側受動クラッチ２２が自動的に接続され、前処理体８及び整畦体９に動力が伝達される状態になる。平行リンク１１，１１ａ、１２，１２ａによる前処理体８及び整畦体９の移動により発生する衝撃は、第１及び第２のガススプリング１５，１６により吸収される。また、ロックプレート２６のフック２６ａにより係合ピン２８をロックして前処理体８及び整畦体９などを後フレーム１３を介して主フレーム７に固定する。さらに、必要に応じて回転ハンドル２４ａ付の作業姿勢調整ネジ２４により前処理体８及び整畦体９の前後作業姿勢を調整し、トラクタの走行と共に前処理体８及び整畦体９により整畦作業を行う。
【００２３】
前処理体８及び整畦体９が前進作業状態でのみで整畦作業を行うと、圃場の隅部に整畦されない部分が残ることになるが、この残り部分を整畦作業するには、前処理体８及び整畦体９を図４の前進作業状態から図５の後進作業状態に回動、移動させ、トラクタ及び畦塗り機１を後退させながら畦塗り機１により隅部全体の整畦作業を行う。畦塗り機１を図４の前進作業状態から図１の格納状態を通って図５の後進作業状態にするときには、ロックプレート２６のフック２６ａによる係合ピン２８のロックを解除し、調整ロッド２５を伸縮させながら平行リンク１１，１１ａ、１２，１２ａを移動させて前処理体８及び整畦体９を図４の反対方向に移動させる。このとき、駆動側クラッチ１９から前側受動クラッチ２２が自動的に離れ、動力伝達が解除される。また、ガイド部１０ａのロックピン１０ｂによるロックを解除し、前処理体８及び整畦体９などを回動支点１４を中心に水平方向にほぼ１８０度回動させる。この前処理体８及び整畦体９などの回動支点１４を中心とする回動、及び平行リンク１１，１１ａ、１２，１２ａによる水平移動により発生する衝撃は、第１及び第２のガススプリング１５，１６により吸収される。
【００２４】
このようにして前処理体８及び整畦体９を回動、移動させたとき、駆動側クラッチ１９に後側入力軸ケース２１の後側受動クラッチ２３が自動的に接続され、前処理体８及び整畦体９に動力が伝達される状態となる。そして、ロックプレート２６のフック２６ａにより係合ピン２９をロックして前処理体８及び整畦体９などを後フレーム１３を介して主フレーム７に固定する。また、平行リンク１１，１１ａ、１２，１２ａの移動は調整ロッド２５により規制され、さらに、ガイド部１０ａのロック孔にロックピン１０ｂを嵌挿して前処理体８及び整畦体９などの回動支点１４を中心とする回動をロックする。畦塗り機１を図５の後進作業状態から図１の格納状態あるいは図４の前進作業状態にするときには、逆の順序で行えばよい。
【産業上の利用可能性】
【００２５】
本発明の畦塗り機１により、従来は一部人力により畦塗り作業を行っていた圃場４隅の整畦作業が、その全部の作業を機械力により行えるようになる。
【図面の簡単な説明】
【００２６】
【図１】本発明の畦塗り機を格納状態にセットした平面図である。
【図２】畦塗り機を格納状態にセットした側面図である。
【図３】畦塗り機を格納状態にセットした背面図である。
【図４】畦塗り機を前進作業状態にセットした平面図である。
【図５】畦塗り機を後進作業状態にセットした平面図である。
【符号の説明】
【００２７】
１  畦塗り機
２  連結フレーム
３  ロアリンク連結部
４  トップマスト
５  入力軸   ５ａ  入力軸ケース
６  回動支持アーム
７  主フレーム
８  前処理体
９  整畦体  ９ａ  多面体ドラム  ９ｂ  水平円筒部
１０  伝動ケース  １０ａ  ガイド部  １０ｂ  ロックピン  １０ｃ  操作レバー
１１，１１ａ，１２，１２ａ  平行リンク
１３  後フレーム
１４  回動支点
１５  第１のガススプリング
１６  第２のガススプリング
１７  伝動ケース
１８  ユニバーサルジョイント
１９  駆動側クラッチ
２０  前側入力軸ケース
２１  後側入力軸ケース
２２  前側受動クラッチ
２３  後側受動クラッチ
２４  作業姿勢調整ネジ  ２４ａ  回転ハンドル
２５  調整ロッド（調整位置決め装置）
２６  ロックプレート  ２６ａ  フック
２７  バネ付ロックピン
２８，２９  係合ピン
【図１】
2005040105.tif 000003
【図２】
2005040105.tif 000004
【図３】
2005040105.tif 000005
【図４】
2005040105.tif 000006
【図５】
2005040105.tif 000007
【手続補正書】
【提出日】平成16年2月13日(2004.2.13)
【手続補正１】
【補正対象書類名】特許請求の範囲
【補正対象項目名】全文
【補正方法】変更
【補正の内容】
【特許請求の範囲】
【請求項１】
走行機体の後部に着脱可能に連結され、該走行機体から主フレームに動力を受けて作業部に伝達し、作業部では元畦の一部及び圃場を耕耘して元畦側に畦状に盛り上げる前処理体、及びこの前処理体により耕耘された土壌を回転しながら畦に成形するドラム状の整畦体を、主フレームに対してリンク体及び回動支点を介して水平回動して格納位置と前進作業位置あるいは後進作業位置とに水平移動可能に設けた畦塗り機において、
前記主フレームと前処理体及び整畦体の伝動ケースを回動可能に支持した後フレームとの間をリンク体により水平移動可能に連結し、該前処理体及び整畦体は伝動ケースと共に後フレームに対して回動支点を介して水平方向に回動可能に支持され、主フレームと伝動ケースとの間に、前処理体及び整畦体を前進作業位置あるいは後進作業位置に回動したときに接続状態となるクラッチを設け、前記リンク体と主フレームとの間に、該リンク体を水平移動させる調整位置決め装置を設けたことを特徴とする畦塗り機。
【請求項２】
前記リンク体を水平移動させる調整位置決め装置は、前記前処理体及び整畦体を伝動ケースと共に回動する際のリンク体の回動位置決め機能と、非作業時の格納状態での水平移動をロックする機能を兼ね備えていることを特徴とする請求項１記載の畦塗り機。
【請求項３】
前記後フレームと該後フレームに回動可能に支持された作業体との間、及び前記リンク体と主フレームの間の少なくとも一方の間に、前処理体及び整畦体を伝動ケースと共に水平移動させたときの衝撃を緩衝する緩衝装置を介装したことを特徴とする請求項１又は２記載の畦塗り機。
【請求項４】
畦塗り機の前進、後進の各作業時、非作業時の各位置は、前・後進作業位置では、伝動ケースに設けた係合部材と、主フレームに設けた係合部材との組み合わせとにより固定し、非作業位置では、前記調整位置決め装置により位置決めすることを特徴とする請求項１、２又は３記載の畦塗り機。
【請求項５】
前記前処理体及び整畦体は、伝動ケースと共に回動支点を介して水平方向に回動可能に支持され、畦塗り機の前進作業位置あるいは後進作業位置に固定するロック機構を設けたことを特徴とする請求項１、２、３又は４記載の畦塗り機。
【請求項６】
前記ロック機構は、後フレームに設けた位置決め孔及び円弧状のガイド部材と、伝動ケース側に弾持された係合部材とにより構成されていることを特徴とする請求項５記載の畦塗り機。
【請求項７】
前記主フレームから後方に向け駆動側クラッチを設け、前記伝動ケースに、前方及び後方に向け受動側クラッチを設けたことを特徴とする請求項１、２，３，４，５又は６記載の畦塗り機。
【請求項８】
前記駆動側クラッチは、前側受動クラッチ及び後側受動クラッチに対して前後方向に移動可能に付勢されていることを特徴とする請求項１、２，３，４，５、６又は７記載の畦塗り機。
【手続補正２】
【補正対象書類名】明細書
【補正対象項目名】全文
【補正方法】変更
【補正の内容】
【発明の詳細な説明】
【技術分野】
【０００１】
本発明は、主フレームと前処理体及び整畦体の伝動ケースを支持する後フレームとの間をリンク体により連結し、前処理体及び整畦体を回動支点を介して水平方向に回動可能に支持し、機体の前進と後進により圃場の４隅まで畦塗り作業が行えるようにした畦塗り機に関する。
【背景技術】
【０００２】
走行機体の後部に着脱可能に連結され、該走行機体から主フレームに動力を受けて作業部に伝達し、作業部では元畦の一部及び圃場を耕耘して元畦側に畦状に盛り上げる前処理体、及びこの前処理体により耕耘された土壌を回転しながら畦に成形するドラム状の整畦体を、主フレームに対してリンク体及び回動支点を介して水平回動して格納位置と前進作業位置あるいは後進作業位置とに水平移動可能に設けた畦塗り機が、本出願人によって提案されている。
【０００３】
従来の畦塗り機による畦塗り作業においては、作業部が前進作業位置のみの作業であると、水田の４隅に未作業部分が残るので、この未作業部分を処理する手段として、作業部をリンク体及び回動支点を介して前進作業位置から１８０度水平回動させて後進作業位置とし、走行機体を後進させて畦塗り作業を行うようにしている。作業部を前進作業位置から後進作業位置に、あるいは後進作業位置から前進作業位置に移動させるほぼ中間に位置して格納位置があり、作業部は走行機体の後方に位置している。
【０００４】
【特許文献１】特開２００２−１６５５０２号公報
【発明の開示】
【発明が解決しようとする課題】
【０００５】
上記のように従来の畦塗り機においては、作業部を回動させて前進作業位置と格納位置あるいは後進作業位置に移動させ、それぞれの位置で固定、または固定解除するという操作が面倒であり、多くの時間と労力を要する、という問題点があった。
【０００６】
本発明は、上記の問題点を解決することを目的になされたもので、作業部を前進作業位置と格納位置あるいは後進作業位置に移動させる操作が容易に行え、しかも作業部の回動が安全に、かつ容易に行え、主フレームから作業部に動力伝達するクラッチが、作業部を前進作業位置または後進作業位置に移動させたときはほぼ自動的に接続状態となり、格納位置に移動させたときは自動的に切断状態となる畦塗り機を提供することを目的とする。
【課題を解決するための手段】
【０００７】
上記の目的を達成するために本発明の畦塗り機は、以下の構成を特徴としている。
Ａ．走行機体の後部に着脱可能に連結され、該走行機体から主フレームに動力を受けて作業部に伝達し、作業部では元畦の一部及び圃場を耕耘して元畦側に畦状に盛り上げる前処理体、及びこの前処理体により耕耘された土壌を回転しながら畦に成形するドラム状の整畦体を、主フレームに対してリンク体及び回動支点を介して水平回動して格納位置と前進作業位置あるいは後進作業位置とに水平移動可能に設けた畦塗り機において、
前記主フレームと前処理体及び整畦体の伝動ケースを回動可能に支持した後フレームとの間をリンク体により水平移動可能に連結し、該前処理体及び整畦体は伝動ケースと共に後フレームに対して回動支点を介して水平方向に回動可能に支持され、主フレームと伝動ケースとの間に、前処理体及び整畦体を前進作業位置あるいは後進作業位置に回動したときに接続状態となるクラッチを設け、前記リンク体と主フレームとの間に、該リンク体を水平移動させる調整位置決め装置を設けた。
【０００８】
Ｂ．前記リンク体を水平移動させる調整位置決め装置は、前記前処理体及び整畦体を伝動ケースと共に回動する際のリンク体の回動位置決め機能と、非作業時の格納状態での水平移動をロックする機能を兼ね備えている。
Ｃ．前記後フレームと該後フレームに回動可能に支持された作業体との間、及び前記リンク体と主フレームの間の少なくとも一方の間に、前処理体及び整畦体を伝動ケースと共に水平移動させたときの衝撃を緩衝する緩衝装置を介装した。
Ｄ．畦塗り機の前進、後進の各作業時、非作業時の各位置は、前・後進作業位置では、伝動ケースに設けた係合部材と、主フレームに設けた係合部材との組み合わせとにより固定し、非作業位置では、前記調整位置決め装置により位置決めする。
【０００９】
Ｅ．前記前処理体及び整畦体は、伝動ケースと共に回動支点を介して水平方向に回動可能に支持され、畦塗り機の前進作業位置あるいは後進作業位置に固定するロック機構を設けた。
Ｆ．前記ロック機構は、後フレームに設けた位置決め孔及び円弧状のガイド部材と、伝動ケース側に弾持された係合部材とにより構成されている。
Ｇ．前記主フレームから後方に向け駆動側クラッチを設け、前記伝動ケースに、前方及び後方に向け受動側クラッチを設けた。
Ｈ．前記駆動側クラッチは、前側受動クラッチ及び後側受動クラッチに対して前後方向に移動可能に付勢されている。
【発明の効果】
【００１０】
イ．上記Ａ．の構成により、前処理体及び整畦体を前進作業位置と格納位置あるいは後進作業位置に移動させる操作を、調整位置決め装置により容易に行うことができる。また、主フレームから前処理体及び整畦体に動力伝達するクラッチが、前処理体及び整畦体を前進作業位置または後進作業位置に移動させたときはほぼ自動的に接続状態となり、格納位置に移動させたときは自動的に切断状態にすることができる。そして、前処理体及び整畦体を前進作業位置にした状態で通常の畦塗り作業を行い、圃場の隅部においては、前進作業により残った作業部分を、前処理体及び整畦体を後進作業位置にした状態で畦塗り作業を行うことで圃場の４隅まで、圃場全体の畦塗り作業を機械力により行うことができる。また、前処理体及び整畦体を後進作業位置にしたときは、整畦体が走行機体（操縦者）に接近した位置にくるので、操作性が良好となる。
【００１１】
ロ．上記Ｂ．の構成により、リンク体を介して前処理体及び整畦体を前進作業位置あるいは後進作業位置に回動する際、調整位置決め装置によって、リンク体の回動位置決めと、非作業時における格納状態での水平移動のロックとが、自動的に行うことができる。
ハ．上記Ｃ．の構成により、前処理体及び整畦体を水平移動させたときに、後フレームと該後フレームに回動可能に支持された作業体との間、及びリンク体と主フレームの間の少なくとも一方の間において発生する衝撃を、緩衝装置により緩衝することができる。また、緩衝装置を２個設けた場合には、１個目は緩衝作用を行い、２個目は前処理体及び整畦体を最も後進作業位置側にオフセットしたときでも押圧力を残しているので、ロックをしなくても前処理体及び整畦体の回動操作を行うことができる。
ニ．上記Ｄ．の構成により、畦塗り機が前進、後進の各作業時、非作業時の各位置にあるときは、前・後進作業位置では、伝動ケースに設けた係合ピンと、主フレームに設けたフックを有するロックプレートとの組み合わせとにより固定され、非作業位置では、調整位置決め装置により位置決めすることができる。
【００１２】
ホ．上記Ｅ．の構成により、前処理体及び整畦体を、伝動ケースと共に回動支点を介して１８０度回動させたとき、ロック機構により畦塗り機の前進作業位置あるいは後進作業位置にほぼ自動的に固定することができる。
ヘ．上記Ｆ．の構成により、前処理体及び整畦体を、伝動ケースと共に回動支点を介して１８０度回動させたとき、後フレームに設けた位置決め孔及び円弧状のガイド部材と、伝動ケース側に弾持された係合ピンとにより構成されたロック機構により、畦塗り機の前進作業位置あるいは後進作業位置にほぼ自動的に固定することができる。
ト．上記Ｇ．の構成により、前処理体及び整畦体を前進作業位置または後進作業位置に移動させたとき、駆動側クラッチと受動側クラッチがほぼ自動的に接続状態となり、格納位置に移動させたときは自動的に切断状態になる。
チ．上記Ｈ．の構成により、駆動側クラッチは、前側受動クラッチ及び後側受動クラッチに対して前後方向に移動可能に付勢されされることで、両クラッチを、ほぼ自動的に接続状態にし、また、切断状態にすることができる。
【発明を実施するための最良の形態】
【００１３】
以下、本発明を実施するための最良の形態について、添付の図面を参照しながら具体的に説明する。
【実施例１】
【００１４】
図１は、図示省略したトラクタ（走行車体）の後部に連結された本発明による畦塗り機１が、トラクタの後方に位置する格納状態にセットされた平面図である。図２は、同畦塗り機１を格納状態にセットした側面図である。図３は、同畦塗り機１を格納状態にセットした背面図である。図４は、同畦塗り機１を前進作業状態にセット（オフセット）した平面図である。図５は、同畦塗り機１を後進作業状態にセット（オフセット）した平面図である。
【００１５】
図１〜図３において、畦塗り機１は、連結フレーム２の前部に設けたロアリンク連結部３，３及びトップマスト４を、図示省略したトラクタ（走行車体）の後部に設けられた左右一対のロアリンク及びトップリンクからなる３点リンクヒッチに連結されて昇降可能であり、水田圃場に導入されて整畦作業を行うものである。連結フレーム２の前部には、入力軸ケース５ａから前側に入力軸５が突出しており、この入力軸５にトラクタのＰＴＯ軸からユニバーサルジョイント、伝動シャフトを介して動力が伝達される。連結フレーム２の後方に、左右一対の回動支持アーム６，６を介して主フレーム７が上下回動可能に支持されている。
【００１６】
前記主フレーム７と、作業部である前処理体８及び整畦体９に動力伝達する伝動ケース１０を支持する後フレーム１３との間を、上下、左右対をなす平行リンク１１，１１ａ、１２，１２ａにより水平移動可能に連結し、主フレーム７に対して伝動ケース１０と共に前処理体８及び整畦体９を支持する後フレーム１３が水平方向に移動し、伝動ケース１０と共に前処理体８及び整畦体９を前進作業位置、格納位置及び後進作業位置に移動させる。該伝動ケース１０と共に前処理体８及び整畦体９は、平行リンク１１，１１ａの後フレーム１３側の支点と同軸に伝動ケース１０に設けられた回動支点１４を後フレーム１３に対して、図４の前進作業位置から図５の後進作業位置まで、ほぼ１８０度水平回動可能に支持されている。
【００１７】
前記伝動ケース１０が回動支点１４を中心に回動する外周位置に、後フレーム１３側に固定された半円状のガイド部１０ａが設けられ、このガイド部１０ａに対して前処理体８及び整畦体９を前進作業状態または後進作業状態に回動したときにガイド部１０ａに穿設したロック孔に挿脱するロックピン１０ｂ、及び該ロックピン１０ｂをロック・ロック解除操作する操作レバー１０ｃが設けられている。前記後フレーム１３と該後フレーム１３に回動可能に支持された作業体（前処理体８及び整畦体９）との間に、伝動ケース１０と共に前処理体８及び整畦体９を回動支点１４を中心に水平回動させたときの衝撃を緩衝する第１のガススプリング１５を介装している。また、前記平行リンク１１と主フレーム７との間に、平行リンク１１，１１ａ、１２，１２ａを介して伝動ケース１０と共に前処理体８及び整畦体９を水平移動させたときの衝撃を緩衝する第２のガススプリング１６を介装している。
【００１８】
前記主フレーム７には、前記入力軸ケース５ａの後方に位置して、伝動軸を内装した伝動フレーム１７を取付け、入力軸ケース５ａの後端部から入力軸５の後端に取付けたユニバーサルジョイント１８を介して伝動フレーム１７内の伝動軸に動力伝達される。該伝動フレーム１７の後端部から後方に向け、バネにより前後方向に移動可能に弾持された駆動側クラッチ１９を突設している。一方、前記伝動ケース１０には、前側入力軸ケース２０と後側入力軸ケース２１が前方及び後方に向け突設されており、前側入力軸ケース２０の先端部に前側受動クラッチ２２、後側入力軸ケース２１の後端部に後側受動クラッチ２３を設けている。そして、前側受動クラッチ２２及び後側受動クラッチ２３は、前処理体８及び整畦体９を前進作業位置あるいは後進作業位置に回動したときに前記駆動側クラッチ１９とほぼ自動的に接続状態となり、前処理体８及び整畦体９を格納状態にしたときは駆動側クラッチ１９と自動的に切断状態となる。
【００１９】
前記連結フレーム２と主フレーム７との間に、前処理体８及び整畦体９の前後作業姿勢を調整する，回転ハンドル２４ａ付の作業姿勢調整ネジ２４を設けている。また、平行リンク１１と主フレーム７との間には、平行リンク１１，１１ａ、１２，１２ａを介して前処理体８及び整畦体９を水平移動させてオフセット量を調整し、その位置に固定する調整位置決め装置としての調整ロッド２５を設けている。この調整ロッド２５は、前処理体８及び整畦体９を回動する際の平行リンク１１，１１ａ、１２，１２ａの回動位置決め機能と、前処理体８及び整畦体９を非作業時の格納状態にしたときの水平移動をロックする機能を兼ね備えている。また、前処理体８及び整畦体９を格納状態にするときに、格納位置に位置決めする。該調整ロッド２５は、油圧シリンダにしても良いものである。
【００２０】
前記主フレーム７の側部には、フック２６ａを有するロックプレート２６が設けられ、前処理体８及び整畦体９を前進作業位置にしたとき係合ピン２８と、後進作業位置にしたときに係合ピン２９とそれぞれ係合させてロックするようにしている。また、前処理体８及び整畦体９を格納位置に移動した状態で、平行リンク１１，１１ａ、１２，１２ａの回動を規制する調整ロッド２５の伸縮を固定して、平行リンク１１，１１ａ、１２，１２ａの回動を規制するバネ付ロックピン２７が、調整ロッド２５の近傍に設けられている。また本発明においては、第１のガススプリング１５と共に第２のガススプリング１６が設けられているので、この両ガススプリング１５，１６の相互の反力により、前処理体８及び整畦体９は格納位置に固定されることになり、バネ付ロックピン２７を省略しても良いものである。
【００２１】
前処理体８は、左右方向に軸支され、伝動ケース１０から動力を受けて回転する回転軸の軸周に複数本の耕耘爪及び土寄せ板を放射方向に装着すると共に、カバーにより覆い、元畦の一部及び圃場を耕耘して畦状に盛り上げるロータリ耕耘装置を備えた従来周知のものと同様のものである。また、前処理体８には、その上下高さを所定範囲で調節する上下調節装置が設けられている。整畦体９は、伝動ケース１０から屈曲した伝動ケース、デフケース等を介して動力を受けて多面の整畦面が偏心しながら回転して畦法面を叩いて畦に成形する多面体ドラム９ａを取付け、この多面体ドラム９ａのドラム中心の基部に畦の頂部を平らに形成する水平円筒部９ｂを一体的に取付けてカバーにより覆っている。この水平円筒部９ｂには、外側に向け延長部が取付け可能であり、従来周知のものと同様のものである。
【００２２】
このような構成の畦塗り機１においては、図示しないトラクタの後部に３点リンクのロアリンクがロアリンク連結部３に、トップリンクがトップマスト４にそれぞれ連結され、トラクタのＰＴＯ軸からユニバーサルジョイント，伝動軸、ユニバーサルジョイントを介して入力軸５に動力が伝達される。トラクタ及び畦塗り機１が道路や圃場通路を移動するときは、前処理体８及び整畦体９を図１〜図３の格納状態にしておく。この状態では、平行リンク１１，１１ａ、１２，１２ａの回動が調整ロッド２５、バネ付ロックピン２７及びガススプリング１５，１６により規制され、また、ガイド部１０ａのロック孔にロックピン１０ｂが嵌挿されていることで、伝動ケース１０と共に前処理体８及び整畦体９の回動支点１４を中心とする水平回動が規制され、畦塗り機１は左右に回動することなく安定して移動できる。
【００２３】
畦塗り機１により整畦作業を行うときは、バネ付ロックピン２７のロックを解除し、調整ロッド２５を図１の状態から収縮させ、平行リンク１１，１１ａ、１２，１２ａを回動させて前処理体８及び整畦体９を図面で右方向に移動させ、図４の前進作業状態にまで移動（オフセット）させる。このとき、駆動側クラッチ１９に前側入力軸ケース２０の前側受動クラッチ２２が自動的に接続され、伝動ケース１０を介して前処理体８及び整畦体９に動力が伝達される状態になる。平行リンク１１，１１ａ、１２，１２ａによる前処理体８及び整畦体９の移動により発生する衝撃は、第１及び第２のガススプリング１５，１６により吸収される。また、ロックプレート２６のフック２６ａにより係合ピン２８をロックして前処理体８及び整畦体９などを後フレーム１３を介して主フレーム７に固定する。さらに、必要に応じて回転ハンドル２４ａ付の作業姿勢調整ネジ２４により前処理体８及び整畦体９の前後作業姿勢を調整し、トラクタの走行と共に前処理体８及び整畦体９により整畦作業を行う。
【００２４】
前処理体８及び整畦体９が前進作業状態でのみで整畦作業を行うと、圃場の隅部に整畦されない部分が残ることになるが、この残り部分を整畦作業するには、前処理体８及び整畦体９を図４の前進作業状態から図５の後進作業状態に回動、移動させ、トラクタ及び畦塗り機１を後退させながら畦塗り機１により隅部全体の整畦作業を行う。畦塗り機１を図４の前進作業状態から図１の格納状態を通って図５の後進作業状態にするときには、ロックプレート２６のフック２６ａによる係合ピン２８のロックを解除し、調整ロッド２５を伸縮させながら平行リンク１１，１１ａ、１２，１２ａを移動させて前処理体８及び整畦体９を図４の反対方向に移動させる。このとき、駆動側クラッチ１９から前側受動クラッチ２２が自動的に離れ、動力伝達が解除される。また、ガイド部１０ａのロックピン１０ｂによるロックを解除し、前処理体８及び整畦体９などを回動支点１４を中心に水平方向にほぼ１８０度回動させる。この前処理体８及び整畦体９などの回動支点１４を中心とする回動、及び平行リンク１１，１１ａ、１２，１２ａによる水平移動により発生する衝撃は、第１及び第２のガススプリング１５，１６により吸収される。
【００２５】
このようにして前処理体８及び整畦体９を回動、移動させたとき、駆動側クラッチ１９に後側入力軸ケース２１の後側受動クラッチ２３が自動的に接続され、伝動ケース１０を介して前処理体８及び整畦体９に動力が伝達される状態となる。そして、ロックプレート２６のフック２６ａにより係合ピン２９をロックして前処理体８及び整畦体９などを後フレーム１３を介して主フレーム７に固定する。また、平行リンク１１，１１ａ、１２，１２ａの移動は調整ロッド２５により規制され、さらに、ガイド部１０ａのロック孔にロックピン１０ｂを嵌挿して前処理体８及び整畦体９などの回動支点１４を中心とする回動をロックする。畦塗り機１を図５の後進作業状態から図１の格納状態あるいは図４の前進作業状態にするときには、逆の順序で行えばよい。
【産業上の利用可能性】
【００２６】
本発明の畦塗り機１により、従来は一部人力により畦塗り作業を行っていた圃場４隅の整畦作業が、その全部の作業を機械力により行えるようになる。
【図面の簡単な説明】
【００２７】
【図１】本発明の畦塗り機を格納状態にセットした平面図である。
【図２】畦塗り機を格納状態にセットした側面図である。
【図３】畦塗り機を格納状態にセットした背面図である。
【図４】畦塗り機を前進作業状態にセットした平面図である。
【図５】畦塗り機を後進作業状態にセットした平面図である。
【符号の説明】
【００２８】
１  畦塗り機
２  連結フレーム
３  ロアリンク連結部
４  トップマスト
５  入力軸   ５ａ  入力軸ケース
６  回動支持アーム
７  主フレーム
８  前処理体
９  整畦体  ９ａ  多面体ドラム  ９ｂ  水平円筒部
１０  伝動ケース  １０ａ  ガイド部  １０ｂ  ロックピン  １０ｃ  操作レバー
１１，１１ａ，１２，１２ａ  平行リンク
１３  後フレーム
１４  回動支点
１５  第１のガススプリング
１６  第２のガススプリング
１７  伝動フレーム
１８  ユニバーサルジョイント
１９  駆動側クラッチ
２０  前側入力軸ケース
２１  後側入力軸ケース
２２  前側受動クラッチ
２３  後側受動クラッチ
２４  作業姿勢調整ネジ  ２４ａ  回転ハンドル
２５  調整ロッド（調整位置決め装置）
２６  ロックプレート  ２６ａ  フック
２７  バネ付ロックピン
２８，２９  係合ピン
【手続補正３】
【補正対象書類名】図面
【補正対象項目名】全図
【補正方法】変更
【補正の内容】
【図１】
2005040105.tif 000008
【図２】
2005040105.tif 000009
【図３】
2005040105.tif 000010
【図４】
2005040105.tif 000011
【図５】
2005040105.tif 000012